(57)【要約】【課題】所望とする位置への駐車を容易に行うことができる車庫を提供すること。【解決手段】建物１０には、建物１０と一体的に構築されたガレージ１５が備えられており、ガレージ１５にはコントローラ６１が設けられている。コントローラ６１は、車両２０側との無線通信が可能な構成になっており、都度の入庫に際して、車両２０側から取得された車両情報に基づいて目標駐車位置を設定する。また、ガレージ１５には、画像が投影されるスクリーン５１が設けられており、スクリーン５１は、投影された画像が視認可能となるようにガレージ壁面１７に沿って上下方向に延びた状態となっている。スクリーン５１には、プロジェクタ装置５５により投影画像が射影されることで目標駐車位置が表示される。【選択図】図１
2009114777.tif 000002
【特許請求の範囲】
【請求項１】
車庫内の側面に沿って設けられる表示部と、
前記表示部に画像を表示する画像表示手段と、
入庫に際して車両の目標駐車位置を設定する設定手段と、
前記設定手段により設定された目標駐車位置を前記画像表示手段により前記表示部に表示させる表示制御手段と
を備えることを特徴とする車庫。
【請求項２】
前記表示部が、入庫時に車両進行方向奥側となる奥側側面に沿って設けられ、
前記表示制御手段は、前記設定手段により設定された目標駐車位置に合わせて、入庫車両と等幅の画像を前記表示部に表示させることを特徴とする請求項１に記載の車庫。
【請求項３】
前記表示部の上下いずれかに隣接させて鏡面部が設けられていることを特徴とする請求項２に記載の車庫。
【請求項４】
建物の一部として設けられる付属車庫であり、
入庫時に車両進行方向奥側となる奥側側面には建物本体への出入りを可能とする開口部が設けられ、その開口部と車庫内の駐車領域との間に前記表示部が出没可能に設けられていることを特徴とする請求項１乃至３のいずれか１つに記載の車庫。
【請求項５】
浴室又はシャワー室に隣接して設けられる車庫であり、前記開口部を通じて浴室又はシャワー室への行き来が可能となっていることを特徴とする請求項４に記載の車庫。
【請求項６】
車両の入出庫が行われる車両出入口を開閉する開閉部材を備え、
前記表示部は、前記開閉部材により前記車両出入口が閉鎖されている場合に、出現状態から非出現状態に移行可能になっていることを特徴とする請求項４又は５に記載の車庫。
【請求項７】
車両との間で無線通信を可能とする通信手段と、
車両の入庫時に当該車両に関する車両情報を前記通信手段を介して取得する情報取得手段とを備え、
前記設定手段は、前記情報取得手段により取得した車両情報に基づいて車両の目標駐車位置を設定することを特徴とする請求項１乃至６のいずれか１つに記載の車庫。
【請求項８】
複数の車両を駐車可能とする駐車領域を有する車庫であり、
前記設定手段は、前記駐車領域内に、前記情報取得手段により取得した車両情報に基づいて、都度の入庫車両に対して前記目標駐車位置を設定することを特徴とする請求項７に記載の車庫。
【請求項９】
前記表示制御手段は、前記情報取得手段により取得した車両情報を前記表示部に表示させることを特徴とする請求項７又は８に記載の車庫。
【請求項１０】
前記表示部を移動させる移動手段と、
前記情報取得手段により取得した車両情報に基づいて、前記移動手段を駆動させて前記表示部の位置を可変に制御する移動制御手段とを備えることを特徴とする請求項７乃至９のいずれか１つに記載の車庫。
【請求項１１】
前記設定手段により設定された目標駐車位置を含む情報を前記通信手段を介して車両に送信することを特徴とする請求項７乃至１０のいずれか１つに記載の車庫。
【請求項１２】
居住空間が隣接して設けられている車庫であり、
前記表示部は、車庫側に設けられて前記画像が表示される表示面と、前記居住空間側に設けられて前記表示面を透過して反対側が視認できる透過面とを有していることを特徴とする請求項１乃至１１のいずれか１つに記載の車庫。
【発明の詳細な説明】
【技術分野】
【０００１】
本発明は、車庫に関するものである。
【背景技術】
【０００２】
駐車場としての車庫では、床面にライン状の表示部が設けられ、その表示部の表示状態を変更することにより駐車位置を案内するものが提案されている。例えば、特許文献１では、ＬＥＤ等の光源がライン状に構成され、その光源が表示部として床面に埋め込まれることで駐車位置が表示されている。この場合、光源が点灯又は点滅することで、夜間でも駐車位置をドライバ等に認識させることが可能となる。
【特許文献１】特開平１１−６６９１９号公報
【発明の開示】
【発明が解決しようとする課題】
【０００３】
しかしながら、床面に表示部が付与されている場合、ドライバは車両の進行方向を視認しつつ、駐車位置を確認するために床面を視認する必要がある。このため、運転初心者等にとっては運転操作が容易ではないと考えられる。また、この場合、駐車位置への車両の接近に伴って表示部が車体に隠れ、車両の現在位置と表示部との相対的な位置関係が把握しにくくなるといった不都合があった。
【０００４】
本発明は、上記事情に鑑みなされたものであり、所望とする位置への駐車を容易に行うことができる車庫を提供することを目的とするものである。
【課題を解決するための手段】
【０００５】
以下、上記課題を解決するのに有効な手段等につき、必要に応じて作用、効果等を示しつつ説明する。
【０００６】
手段１．車庫（ガレージ１５、ガレージ７５）内の側面に沿って設けられる表示部（スクリーン５１）と、
前記表示部に画像を表示する画像表示手段（プロジェクタ装置５５）と、
入庫に際して車両の目標駐車位置を設定する設定手段（コントローラ６１）と、
前記設定手段により設定された目標駐車位置を前記画像表示手段により前記表示部に表示させる表示制御手段（コントローラ６１）と
を備えることを特徴とする車庫。
【０００７】
手段１の車庫によれば、車両の入庫に際して車両の目標駐車位置が設定されるとともに、該設定された目標駐車位置が、車庫内の側面に沿って設けられた表示部に表示される。この場合、表示部が車庫内の側面に沿って設けられているため、ドライバは、視線をほぼ水平方向にして、表示部に表示された目標駐車位置を確認できる。したがって、目標駐車位置の目視確認が容易となり、ひいては所望とする位置への駐車を容易に行うことができる。
【０００８】
手段２．前記表示部が、入庫時に車両進行方向奥側となる奥側側面（ガレージ奥側におけるガレージ壁面１７）に沿って設けられ、
前記表示制御手段は、前記設定手段により設定された目標駐車位置に合わせて、入庫車両と等幅の画像を前記表示部に表示させることを特徴とする手段１に記載の車庫。
【０００９】
手段２によれば、表示部が、入庫時に車両進行方向奥側となる奥側側面に設けられているため、車両を入庫させる際には表示部に向かって車両を走行させることとなる。このとき、奥側側面の表示部には、都度の目標駐車位置に合わせて、入庫車両と等幅の画像が表示されるため、入庫車両の左右のずれが確認しやすくなる。したがって、所望とする位置への駐車が一層容易となる。
【００１０】
手段３．前記表示部の上下いずれかに隣接させて鏡面部（鏡７１）が設けられていることを特徴とする手段２に記載の車庫。
【００１１】
手段３によれば、目標駐車位置を表示するための表示部と、入庫車両（自車両）を映す鏡面部とが上下に隣接して設けられるため、ドライバは、表示部に表示された目標駐車位置（入庫車両の幅分の画像）と、鏡面部に映った入庫車両（自車両像）との位置ずれを略同一面上で目視確認できる。したがって、目標駐車位置に対する入庫車両のずれを容易に判断できる。
【００１２】
手段４．建物の一部として設けられる付属車庫であり、
入庫時に車両進行方向奥側となる奥側側面には建物本体への出入りを可能とする開口部（ガレージ出入口３５）が設けられ、その開口部と車庫内の駐車領域との間に前記表示部が出没可能に設けられていることを特徴とする手段１乃至３のいずれか１つに記載の車庫。
【００１３】
手段４によれば、開口部と車庫内の駐車領域との間に表示部が出没可能に設けられているため、スクリーン等からなる表示部を出現させることで開口部を塞ぐことが可能となり、表示部を出現させないことで開口部を露出させることが可能となる。開口部が塞がれている場合、奥側側面の略全体を覆うように表示部を出現させることが可能となるため、画像の表示位置が制限されない。したがって、所望の目標駐車位置を表示部に表示させることができる。一方、開口部が塞がれていない場合、開口部を通じて、車庫と建物本体とを行き来することができる。故に、所望とする位置への車両の駐車を実現させつつ、車庫と建物本体との行き来を容易にすることができる。
【００１４】
手段５．浴室又はシャワー室に隣接して設けられる車庫であり、前記開口部を通じて浴室又はシャワー室への行き来が可能となっていることを特徴とする手段４に記載の車庫。
【００１５】
手段５によれば、開口部を通じて車庫から直接、浴室又はシャワー室に行くことができる。
【００１６】
手段６．車両の入出庫が行われる車両出入口（ガレージ開口部１６）を開閉する開閉部材（シャッタカーテン２２）を備え、
前記表示部は、前記開閉部材により前記車両出入口が閉鎖されている場合に、出現状態から非出現状態に移行可能になっていることを特徴とする手段４又は５に記載の車庫。
【００１７】
手段６によれば、出没可能な表示部は、開閉部材により車両出入口が閉鎖されている場合に非出現状態に移行可能になる。この場合、車両出入口が開放されていると、出現している表示部により開口部が塞がれているため、開口部の存在を外部から確認することが困難になり、開口部からの建物内への不審者の侵入を抑制することができる。故に、建物の防犯効果を期待することができる。
【００１８】
手段７．車両との間で無線通信を可能とする通信手段（ガレージ側通信部６２）と、
車両の入庫時に当該車両に関する車両情報を前記通信手段を介して取得する情報取得手段（コントローラ６１）とを備え、
前記設定手段は、前記情報取得手段により取得した車両情報に基づいて車両の目標駐車位置を設定することを特徴とする手段１乃至６のいずれか１つに記載の車庫。
【００１９】
手段７によれば、車両の入庫時には、車両との無線通信によって車両情報が取得される。車両情報には、例えば車種や車両サイズなどが含まれる。そして、車両入庫時に取得した車両情報に基づいて車両の目標駐車位置が設定される。ここで、入庫される車両が異なると、その大きさ等によって適する目標駐車位置が相違することが考えられるが、かかる場合にも都度の入庫車両に適した目標駐車位置が表示できる。
【００２０】
手段８．複数の車両を駐車可能とする駐車領域を有する車庫であり、
前記設定手段は、前記駐車領域内に、前記情報取得手段により取得した車両情報に基づいて、都度の入庫車両に対して前記目標駐車位置を設定することを特徴とする手段７に記載の車庫。
【００２１】
手段８によれば、複数の車両を駐車可能とする駐車領域において、適切な位置に車両を駐車させることができる。例えば、都度の車両の入庫に際して、常に一定の目標駐車位置が設定されていると、既に他の車両が駐車されていてその目標駐車位置には今回は車両を駐車させることができない。これに対して、本構成では、都度の入庫車両を適切な位置に駐車させることができるため、都度の車両の入庫に際して駐車可能な位置を目標駐車位置として表示することが可能となる。したがって、車庫の状況が変化しても車両を適切な位置に確実に駐車させることが可能となる。
【００２２】
手段９．前記表示制御手段は、前記情報取得手段により取得した車両情報を前記表示部に表示させることを特徴とする手段７又は８に記載の車庫。
【００２３】
手段９によれば、表示部に車両情報が表示される。したがって、ユーザは、車両を目標駐車位置に駐車させつつ、駐車の度に車両の状態等を知ることが可能となる。例えば車両に異常が発生した場合にユーザは異常発生を容易に認識することができる。
【００２４】
手段１０．前記表示部を移動させる移動手段（スクリーンケース５２）と、
前記情報取得手段により取得した車両情報に基づいて、前記移動手段を駆動させて前記表示部の位置を可変に制御する移動制御手段（コントローラ６１）とを備えることを特徴とする手段７乃至９のいずれか１つに記載の車庫。
【００２５】
手段１０によれば、移動制御手段により、車両情報に基づいて表示部の位置が可変に制御される。したがって、これから車両が入庫されることを車両情報に基づいて検出した場合、画像の投影が可能な位置に表示部を移動させることが可能となる。故に、車両の入庫時に、表示部に目標駐車位置を表示させることが可能となる。
【００２６】
手段１１．前記設定手段により設定された目標駐車位置を含む情報を前記通信手段を介して車両に送信することを特徴とする手段７乃至１０のいずれか１つに記載の車庫。
【００２７】
手段１１によれば、目標駐車位置を含んだ情報が車両に送信される。この場合、ドライバに対して、表示部に目標駐車位置を表示させることの他、車内にて画像を表示したり音声を出力したりすることができる。したがって、より確実に目標駐車位置をドライバに認識させることが可能となる。
【００２８】
手段１２．居住空間が隣接して設けられている車庫であり、
前記表示部は、車庫側に設けられて前記画像が表示される表示面と、前記居住空間側に設けられて前記表示面を透過して反対側が視認できる透過面とを有していることを特徴とする手段１乃至１１のいずれか１つに記載の車庫。
【００２９】
手段１２によれば、表示面が車庫側に設けられているため、画像表示手段により表示部に画像を表示することが可能となる。また、透過面が居住空間側に設けられているため、ユーザは居住空間に居ながらにして、車両の駐車位置や車庫内の状態を視認することが可能となる。
【発明を実施するための最良の形態】
【００３０】
以下、本発明を具体化した一実施形態を図面に基づいて説明する。本実施形態では、一階部分にガレージ（車庫）が一体に設けられたガレージ付き建物（車庫付き建物）について具体化しており、そのガレージについての詳細を以下に説明する。図１は、駐車管理システムの概略を示す全体構成図、図２は、建物の一階部分における構成の一部を示す平面図である。
【００３１】
図１及び図２に示すように、住宅等の建物１０には、建物１０と一体的に構築されたガレージ１５が備えられており、ガレージ１５は、平面視矩形状のガレージ内スペースを有している。ガレージ１５は、一側面にガレージ開口部１６が形成されるとともに、他の側面部（両側方と奥方）がガレージ壁面１７に囲まれており、ガレージ開口部１６を通じて車両２０や人の出入りが可能となっている。
【００３２】
ガレージ開口部１６は、シャッタ装置２１により開閉されるようになっている。シャッタ装置２１は、昇降可能なシャッタカーテン２２と、シャッタカーテン２２を収納するシャッタケース２３とを有しており、シャッタケース２３はガレージ開口部１６の上方に取り付けられている。シャッタカーテン２２は、巻かれた状態でシャッタケース２３に収納されるようになっており、シャッタカーテン２２が巻き取られることでガレージ開口部１６が開放され、シャッタカーテン２２が繰り出されることでガレージ開口部１６が閉鎖される。
【００３３】
建物１０において、ガレージ１５の奥方には、浴室３１と、浴室３１への出入りが可能な脱衣室３２とが設けられている。ガレージ１５と脱衣室３２とを仕切る壁にはユーザの出入りが可能なガレージ出入口３５が形成されており、ユーザは、ガレージ出入口３５を出入りすることでガレージ１５と脱衣室３２とを行き来することができる。すなわち、ガレージ１５と浴室３１との行き来も可能となる。なお、ガレージ出入口３５は、ガレージ１５と浴室３１とを仕切る壁に形成されていてもよく、この場合、ユーザはガレージ１５と浴室３１とを直接行き来することができる。
【００３４】
ガレージ出入口３５には引き戸３６が設けられており、引き戸３６がスライドされることでガレージ出入口３５が開閉されるようになっている。引き戸３６にはマジックミラーが設けられており、マジックミラーの鏡面がガレージ１５側を向いており、マジックミラーの透過面が脱衣室３２側を向いている。したがって、引き戸３６によりガレージ出入口３５が閉鎖されている場合、ガレージ１５側からは脱衣室３２側が視認できないようになっており、脱衣室３２側からはガレージ１５側が視認できるようになっている。
【００３５】
建物１０には、他にも居室４１等の居住空間が設けられており、居室４１と脱衣室３２とを仕切る壁にはユーザの出入りが可能な居室出入口４２が形成されている。ユーザは、居室出入口４２を出入りすることで居室４１と脱衣室３２や浴室３１とを直接行き来することができる。
【００３６】
ガレージ１５には、巻き取り式のスクリーン装置５０とプロジェクタ装置５５とが設けられている。スクリーン装置５０は、スクリーン５１と、巻かれた状態のスクリーン５１を収容するスクリーンケース５２と、スクリーン５１の巻き取り及び繰り出しを行うべく駆動する駆動部５３とを有している。スクリーン５１は巻き取り及び繰り出しが行われることでガレージ１５に対して出没するようになっている。スクリーン装置５０は、ガレージ奥側に配置されており、スクリーン５１は、駆動部５３により繰り出されることで出現する。出現したスクリーン５１は、ガレージ壁面１７に沿って上下方向に延びた状態となり、ガレージ１５の奥側におけるガレージ壁面１７とガレージ内スペースとの間に位置する。スクリーン５１は、ガレージ奥側のガレージ壁面１７と略同等の大きさとなっており、ガレージ出入口３５はスクリーン５１により覆われている。駆動部５３が駆動することでスクリーン５１がスクリーンケース５２に収容された場合、ガレージ出入口３５が露出しており、ガレージ出入口３５へのユーザの出入りが可能となる。また、スクリーン装置５０は、ガレージ１５の天井部に取り付け固定されており、これにより、スクリーン５１はその上部が天井部に対して固定されている。
【００３７】
プロジェクタ装置５５は、投影型映像装置であり、投影画像をスクリーン５１に対して投射することが可能となっている。スクリーン５１が出現している場合に、プロジェクタ装置５５から投影画像がスクリーン５１に向かって投射されるとその画像がスクリーン５１に投影されることになる。
【００３８】
次に、ガレージ１５における電気的な構成について説明する。
【００３９】
プロジェクタ装置５５には、スクリーン５１に投影される画像の制御を行うコントローラ６１が接続されている。コントローラ６１は、ＣＰＵや各種メモリ等からなるマイクロコンピュータを有しており、そのマイクロコンピュータにて映像信号を生成し、その映像信号をプロジェクタ装置５５に対して出力する。
【００４０】
コントローラ６１は、車両２０側との無線通信が可能なガレージ側通信部６２を有しており、ガレージ側通信部６２では、車両情報が含まれた信号を車両２０側から受信することが可能になっている。コントローラ６１は、ガレージ側通信部６２が前記信号を受信することで車両情報を取得し、その車両情報に基づいて車両２０の目標駐車位置を設定する。なお、車両情報には、車両幅などの車両２０の大きさに関する情報が含まれている。また、コントローラ６１は、目標駐車位置に基づいて映像信号を生成する。ここで、目標駐車位置は、車両進退方向と交差する方向（ガレージ１５の左右方向）について設定されていればよい。
【００４１】
コントローラ６１は、スクリーン装置５０と接続されており、駆動部５３に対して制御信号を出力することでスクリーン５１の巻き取り及び繰り出しを制御することが可能になっている。
【００４２】
また、コントローラ６１は、シャッタ装置２１と接続されており、シャッタ装置２１に対して制御信号を出力することでシャッタカーテン２２の昇降を制御することが可能になっている。
【００４３】
ガレージ１５に駐車される車両２０は、ガレージ側通信部６２との無線通信が可能な車両側通信部６５を有しており、車両側通信部６５では、車両情報が含まれた信号をガレージ側通信部６２に送信することが可能になっている。
【００４４】
次いで、コントローラ６１によって実行される駐車管理について説明する。
【００４５】
ガレージ１５に車両２０が入庫される場合、車両２０側とガレージ１５側との間で無線通信が行われることにより、コントローラ６１では都度の入庫車両に見合う適切な目標駐車位置が設定される。例えば、車両２０に対するユーザの乗降や物品の出し入れ等が容易となるような間隔が、車両２０とガレージ壁面１７との間に確保されるように、車両２０の大きさに応じて目標駐車位置が設定される。ここでは、ガレージ１５の幅方向における目標駐車位置が設定される。
【００４６】
車両側通信部６５から送信された車両側情報がガレージ側通信部６２にて受信された場合、コントローラ６１によりスクリーン装置５０の動作制御が行われてスクリーン５１が出現する。また、この場合、コントローラ６１によりシャッタ装置２１の開放制御が行われることでガレージ開口部１６が開放される。そして、目標駐車位置を示す画像がプロジェクタ装置５５によりスクリーン５１に投影される。例えば、図２に示すラインＡ１とラインＡ２との間が目標駐車位置として設定された場合、それらラインＡ１，Ａ２と同位置で且つ同幅の画像がスクリーン５１に投影される（図のＷ１）。この場合、投影される画像はその幅を示す内容であれば図柄でもよく文字でもよい。
【００４７】
スクリーン５１に目標駐車位置が表示された場合、例えば床面に白線が表示されることで目標駐車位置を案内する場合とは異なり、ドライバは視線をほぼ水平方向にした状態で目標駐車位置を確認することができる。そして、車両２０はガレージ奥側に向かって進行することでガレージ１５に入庫されるため、ドライバは車両２０の進行方向を視認しつつスクリーン５１の画像を視認することが可能となる。
【００４８】
車両２０が目標駐車位置に駐車された後、コントローラ６１によりシャッタ装置２１の閉鎖制御が行われることでガレージ開口部１６が閉鎖される。その後、コントローラ６１によりスクリーン５１の動作制御が行われることでスクリーン５１がスクリーンケース５２に収納され、ガレージ出入口３５が露出される。したがって、ユーザはガレージ出入口３５を通じてガレージ１５から脱衣室３２や浴室３１へ移動することが可能となる。
【００４９】
以上詳述した本実施形態によれば、以下の優れた効果が得られる。
【００５０】
ガレージ壁面１７に沿って設けられているスクリーン５１に目標駐車位置が画像として投影される構成としたため、車両２０の駐車時に、ドライバは運転操作を行いながらでも目標駐車位置を容易に確認することができる。故に、所望とする位置への駐車を容易に行うことができる。
【００５１】
スクリーン５１がガレージ奥側に設けられているため、駐車時には車両２０をスクリーン５１に向かって走行させることになり、ドライバは車両２０の進行方向を視認しつつスクリーン５１上の画像を視認することが容易となる。したがって、ドライバは、車両２０を前進駐車させる場合でも後退駐車させる場合でも車両２０の現在位置と目標駐車位置とのずれを確認し易くなる。この場合、車両２０の現在位置と目標駐車位置とのずれがなくなるように運転操作を行うことが容易となり、所望とする位置への駐車がより一層容易となる。
【００５２】
コントローラ６１では、車両情報に基づいて目標駐車位置が設定されるため、駐車される車両２０に対して適した大きさの目標駐車位置を設定することが可能となる。したがって、駐車される車両２０の大きさ等がまちまちであっても、都度の駐車車両２０に適した位置にその車両２０を駐車させることができる。
【００５３】
スクリーン５１は、車両２０側とガレージ１５側との間で無線通信が行われた場合、すなわち車両２０が入庫される場合に出現される。したがって、車両２０の入庫に伴ってスクリーン５１に目標駐車位置を表示することが可能となる。また、スクリーン５１が出現している場合、ガレージ出入口３５がそのスクリーン５１に覆われるようになっているため、プロジェクタ装置５５により極力大きい画像をスクリーン５１に表示することが可能となり、画像の表示位置が制限されない。したがって、所望の目標駐車位置をスクリーン５１に表示させることができる。また、スクリーン５１が収納されている場合、ガレージ出入口３５へのユーザの出入りが可能になっているため、所望とする位置への車両２０の駐車を実現させつつ、ユーザはガレージ１５と浴室３１又は脱衣室３２とを行き来することができる。したがって、ユーザに汚れが付着している場合にその汚れを速やかに洗い流すことができる。
【００５４】
スクリーン５１が出現した後にガレージ開口部１６が開放され、ガレージ開口部１６が閉鎖された後にスクリーン５１が収納されるため、ガレージ開口部１６が開放されている場合は、ガレージ出入口３５が露出しないようになっている。したがって、ガレージ出入口３５の存在を外部から確認することが困難になり、ガレージ出入口３５を通じての建物１０内への不審者の侵入を抑制することができる。故に、建物の防犯効果を期待することができる。
【００５５】
（他の実施形態）
本発明は上記実施形態の記載内容に限定されず、例えば次のように実施してもよい。
【００５６】
・上記実施形態では、プロジェクタ装置５５から投射された画像が、スクリーン５１に投影される構成としたが、スクリーン５１ではなくガレージ壁面１７に投影される構成としてもよい。この場合でも、車両２０の進行方向に目標駐車位置が表示されるため、所望とする位置への駐車を容易に行うことができる。
【００５７】
・マジックミラーによりガレージ奥側のガレージ壁面１７が構成されていてもよい。この場合、ユーザは、浴室３１や脱衣室３２等に居ながらにして、車両２０の駐車位置やガレージ１５内の状態を視認することができる。
【００５８】
・スクリーン５１の上下いずれかに隣接させて鏡が設けられていてもよい。例えば、図３に示すように、ガレージ奥側のガレージ壁面１７において、その下部に鏡面部としての鏡７１が設けられており、鏡７１の上方にスクリーン５１が配置されている構成とする。この場合、車両２０を駐車させる際に、鏡７１に映し出された車両２０の反射像Ｍ１と、スクリーン５１に表示されている目標駐車位置画像Ｓ１とを略同一面上で目視確認することができる。しかも、反射像Ｍ１と目標駐車位置画像Ｓ１とを上下に並んだ状態で目視確認することができるため、ユーザは、車両２０の現在位置と目標駐車位置との左右方向へのずれを容易に判断することができる。
【００５９】
・複数の車両２０を駐車可能とするガレージ内スペースを有するガレージに対して、コントローラ６１によって実行される駐車管理が適用されてもよい。例えば、図４（ａ），（ｂ）に示すように、複数の車両２０を横並びで駐車させることが可能なガレージ７５において、既に駐車されている駐車済み車両２０ａの駐車位置に基づいて、これから入庫される今回の駐車車両２０ｂの目標駐車位置が設定される構成とする。今回の駐車車両２０ｂが駐車される場合、車両情報に基づいてラインＢ１とラインＢ２との間が目標駐車位置として設定されると、ラインＢ１，Ｂ２と同位置で且つ同幅の画像Ｓ２がスクリーン５１に投影される（図のＷ２）。これにより、車両２０を適切な位置に駐車させることが可能となる。
【００６０】
例えば、常に一定の目標駐車位置が設定されている場合、今回の駐車車両２０ｂが目標駐車位置に駐車された後、次に駐車される車両２０に対して目標駐車位置が同じ位置に設定されることになるため、その車両２０を目標駐車位置に駐車させることができない。これに対して、今回の駐車車両２０ｂが入庫される度に目標駐車位置が設定される構成であれば、ガレージ１５の状況が変化しても車両２０を適切な位置に確実に駐車させることができる。
【００６１】
・目標駐車位置を示す情報が車両２０にて取得される構成としてもよい。この場合、目標駐車位置がスクリーン５１に表示される他に、車両２０内において画像が表示されたり音声が出力されたりすることで目標駐車位置がユーザに対して教示されることになる。故に、より確実に目標駐車位置をユーザに認識させることが可能になる。
【００６２】
・スクリーン５１に車両情報の内容が表示される構成としてもよい。例えば、車両情報としてエンジン等の現在の状態が表示される構成とする。この場合、エンジン等に異常が発生した場合、ユーザが運転感覚等によって察知するよりも前にその異常発生を発見することが可能となる。したがって、異常発生に対して早期に対処することが可能となる。
【００６３】
また、プロジェクタ装置５５によりスクリーン５１に映画等の映像が表示される構成としてもよい。また、この場合、コントローラ６１側から車両２０側に信号が出力されることで、車両２０に搭載されている音響設備から映画等の音声が出力される構成とすることで、ユーザは車両２０内に居ながらにして映画等を鑑賞することができる。
【００６４】
・上記実施形態では、ガレージ１５に、巻き取り式のスクリーン装置５０が設けられているが、スライド式のスクリーン装置が設けられていてもよい。例えば、駆動部５３が駆動することでスクリーン５１が上下方向又は左右方向にスライドし、それに伴ってスクリーン５１がガレージ１５に対して出没する構成とする。この場合でも、プロジェクタ装置５５によりスクリーン５１に目標駐車位置を投影することができる。
【００６５】
・上記実施形態では、ガレージ開口部１６を開閉する開閉部材としてシャッタカーテン２２が設けられているが、上下方向又は左右方向にスライド可能なスライド部材が設けられていてもよい。この場合でも、ガレージ開口部１６の開閉を行うことができる。
【００６６】
・上記実施形態において、スクリーン５１は、ガレージ奥側におけるガレージ壁面１７に沿って設けられているが、左右に形成されているガレージ壁面１７に沿って設けられていてもよい。この場合でも、ドライバは視線をほぼ水平方向にして目標駐車位置を確認することが可能であるため、目標駐車位置の目視確認が容易となる。
【００６７】
・上記実施形態では、スクリーン装置５０とプロジェクタ装置５５とが独立して設けられているが、スクリーン装置５０とプロジェクタ装置５５とが一体的に設けられていてもよい。また、スクリーン装置５０及びプロジェクタ装置５５に代えてテレビが設けられていてもよい。これらの場合でも、ユーザに目標駐車位置を視認確認させることができる。
【図面の簡単な説明】
【００６８】
【図１】本実施形態における駐車管理システムの概略を示す全体構成図。
【図２】建物の一階部分における構成の一部を示す平面図である。
【図３】別のガレージの構成を説明するための説明図。
【図４】別のガレージの構成を説明するための説明図。
【符号の説明】
【００６９】
１０…建物、１５…ガレージ、１６…ガレージ開口部、１７…ガレージ壁面、２０…車両、２２…シャッタカーテン、５１…スクリーン、５５…プロジェクタ装置、６１…コントローラ、７１…鏡、７５…ガレージ。
【図１】
2009114777.tif 000003
【図２】
2009114777.tif 000004
【図３】
2009114777.tif 000005
【図４】
2009114777.tif 000006